(57)【要約】【課題】計測アダプタが取り付けられた状態において計測アダプタの使い勝手を向上することのできる分電盤を提供する。【解決手段】分電盤１は、キャビネット１０と、ベース部材２００と、を備える。キャビネット１０は、造営面に対する取付面１１２を有する。ベース部材２００は、キャビネット１０に収容される。ベース部材２００には、計測アダプタ６が取り付けられる。計測アダプタ６は、分電盤１内の主幹ブレーカ及び分岐ブレーカの少なくとも一方を通過する電力を計測する計測機能、及びキャビネット１０の外部に配置された機器と通信する通信機能を有する。ベース部材２００は、キャビネット１０の取付面１１２が鉛直方向に沿うように造営面に取り付けられた取付状態において、計測アダプタ６の前面６００が鉛直上方から鉛直下方に向かうにつれて造営面に近づく向きに傾斜するように、計測アダプタ６を保持する。【選択図】図１
2019165605.tif 000002
【特許請求の範囲】
【請求項１】
造営面に対する取付面を有する箱状のキャビネットと、
前記キャビネットに収容されて、分電盤内の主幹ブレーカ及び分岐ブレーカの少なくとも一方を通過する電力を計測する計測機能及び前記キャビネットの外部に配置された機器と通信する通信機能を有する計測アダプタが取り付けられるベース部材と、
を備え、
前記ベース部材は、前記キャビネットの前記取付面が鉛直方向に沿うように前記造営面に取り付けられた取付状態において、前記計測アダプタの前面が鉛直上方から鉛直下方に向かうにつれて前記造営面に近づく向きに傾斜するように、前記計測アダプタを保持する、
分電盤。
【請求項２】
前記計測アダプタは、前記前面に、前記計測機能に関する情報を表示する表示部を有する、
請求項１記載の分電盤。
【請求項３】
前記計測アダプタは、前記前面に、前記計測機能に関する操作を受け付ける操作部を有する、
請求項１又は２記載の分電盤。
【請求項４】
前記計測アダプタは、前記前面に、前記取付状態において少なくとも下半分のいずれかの位置に、配線が接続される接続部を有する、
請求項１〜３の何れか一項記載の分電盤。
【請求項５】
前記ベース部材は、前記計測アダプタに接続される配線を収容する収容スペースを備える、
請求項１〜４の何れか一項記載の分電盤。
【請求項６】
前記計測アダプタを更に備える、
請求項１〜５の何れか一項記載の分電盤。
【発明の詳細な説明】
【技術分野】
【０００１】
本開示は、一般に分電盤に関し、より詳細には、計測アダプタが取り付け可能な分電盤に関する。
【背景技術】
【０００２】
従来、分電盤用キャビネットと分電盤用内器とを備えた分電盤が知られており、例えば特許文献１に開示されている。
【０００３】
特許文献１の分電盤では、分電盤用内器は、電流計測器、計測ユニット、第１〜第３通信アダプタ等を含んでいる。
【０００４】
電流計測器は、計測ユニットを通して第１通信アダプタへ、分岐回路の電力情報を送信する。計測ユニットは、電流計測器での計測対象である分岐回路以外の特定回路について電力を計測し、特定回路の電力情報を第１通信アダプタへ送信する。
【０００５】
第１通信アダプタは、ＨＥＭＳ（Home Energy Management System）に対応する機器の制御を行うコントローラとの通信機能を有している。第２通信アダプタは、電力メータと通信する機能を有している。第３通信アダプタは、ガスメータ、水道メータ、太陽光発電装置、蓄電装置、電気自動車に電気的に接続される電力変換装置の少なくとも１つからなるエネルギー管理装置との通信機能を有している。第１通信アダプタと第２通信アダプタとは基板対基板（board to board）接続によって接続され、第１通信アダプタと第３通信アダプタとは基板対基板接続によって接続されている。
【０００６】
電流計測器、計測ユニット、及び第１〜第３通信アダプタは、キャビネット本体内のスペースにそれぞれ配置される。
【先行技術文献】
【特許文献】
【０００７】
【特許文献１】特開２０１５−１９８４７０号公報
【発明の概要】
【発明が解決しようとする課題】
【０００８】
本開示は、計測アダプタが取り付けられた状態において計測アダプタの使い勝手を向上させることのできる分電盤を提供することを目的とする。
【課題を解決するための手段】
【０００９】
本開示の一態様に係る分電盤は、キャビネットと、ベース部材と、を備える。前記キャビネットは箱状である。前記キャビネットは、造営面に対する取付面を有する。前記ベース部材は、前記キャビネットに収容される。前記ベース部材は、計測アダプタが取り付けられる。前記計測アダプタは、分電盤内の主幹ブレーカ及び分岐ブレーカの少なくとも一方を通過する電力を計測する計測機能、及び前記キャビネットの外部に配置された機器と通信する通信機能を有する。前記ベース部材は、前記キャビネットの前記取付面が鉛直方向に沿うように前記造営面に取り付けられた取付状態において、前記計測アダプタの前面が鉛直上方から鉛直下方に向かうにつれて前記造営面に近づく向きに傾斜するように、前記計測アダプタを保持する。
【発明の効果】
【００１０】
本開示によると、計測アダプタが取り付けられた状態において計測アダプタの使い勝手を向上させることができる、という利点がある。
【図面の簡単な説明】
【００１１】
【図１】図１は、本開示の一実施形態に係る分電盤の断面図である。
【図２】図２は、同上の分電盤の外蓋及び内蓋が外された状態の正面図である。
【図３】図３は、同上の分電盤の外蓋が外された状態の斜視図である。
【図４】図４は、同上の分電盤の斜視図である。
【図５】図５は、同上の分電盤に用いられる計測アダプタ及びベース部材の斜視図である。
【図６】図６は、同上の分電盤を造営面に取り付けた状態を示す図である。
【図７】図７Ａは、比較例１の分電盤の要部を示す概略図である。図７Ｂは、比較例２の分電盤の要部を示す概略図である。
【発明を実施するための形態】
【００１２】
以下に説明する実施形態及び変形例は、本開示の一例に過ぎない。本開示は、実施形態及び変形例に限定されることなく、この実施形態及び変形例以外であっても、本開示に係る技術的思想を逸脱しない範囲であれば、設計等に応じて種々の変更が可能である。下記の実施形態及び変形例において説明する各図は、模式的な図であり、図中の各構成要素の大きさ及び厚さそれぞれの比が必ずしも実際の寸法比を反映しているとは限らない。
【００１３】
（１）実施形態
以下、本実施形態の分電盤１について、図１〜図６を参照しながら説明する。
【００１４】
本実施形態では、分電盤１が戸建住宅に用いられる場合を例示するが、この例に限らず、分電盤１は、集合住宅の各住戸、事務所、店舗等に用いられてもよい。また、以下の説明では特に断りがない限り、図２の上下左右を分電盤１の上下左右と規定し、図２の紙面に垂直な方向を分電盤１の前後方向（手前が前方向）と規定する。詳しくは、主幹ブレーカ２と分岐ブレーカ３とが並ぶ方向を左右方向と呼び、ベース部材２００と計測アダプタ６とが並ぶ方向を前後方向と呼ぶ。また、左右方向および前後方向と直交する方向を上下方向と呼ぶ。
【００１５】
本実施形態の分電盤１は、図１及び図２に示すように、キャビネット１０と、主幹ブレーカ２と、複数の分岐ブレーカ３と、電流計測装置５と、計測アダプタ６と、ベース部材２００と、を備えている。また、本実施形態の分電盤１は、スペーサ３０と、二次連系ブレーカ１００と、を備えている。
【００１６】
キャビネット１０は、図２〜図４に示すように、キャビネット本体１１と、内蓋１６と、外蓋１５と、を備えている。
【００１７】
キャビネット本体１１は、図２に示すように、前面が開口した（前面に開口部１４を有する）箱状に形成されている。キャビネット本体１１は、住宅の壁等に取り付けて使用される。図６に示すように、本実施形態のキャビネット本体１１は、後面（底壁１１１の後面）が壁面（造営面９０）等に沿うように、住宅の壁等に取り付けられる。すなわち、本実施形態では、キャビネット本体１１の後面が、造営面９０に対する取付面１１２である。
【００１８】
図２に示すように、キャビネット本体１１の内部には、主幹ブレーカ２、複数の分岐ブレーカ３、電流計測装置５、計測アダプタ６、ベース部材２００、スペーサ３０、及び二次連系ブレーカ１００が収容される。キャビネット本体１１内において、計測アダプタ６、主幹ブレーカ２、複数の分岐ブレーカ３は、左右方向において左からこの順に配置されている。
【００１９】
また、図２に示すように、キャビネット本体１１の底壁１１１は、前後方向に貫通する正面視矩形状の窓孔１２を有しており、この窓孔１２を通して壁裏からキャビネット本体１１の内部に配線を引き込むことが可能である。
【００２０】
内蓋１６は、例えば合成樹脂製であって、後面の略全体が開口した矩形枠状に形成されている。内蓋１６は、図３に示すように、キャビネット本体１１の側壁１１３の前端部に被さるようにしてキャビネット本体１１に取り付けられる。内蓋１６の前壁は、内蓋１６がキャビネット本体１１に取り付けられた状態において、下方の部分ほど後方に位置するように湾曲している。
【００２１】
図３に示すように、内蓋１６の前壁には、正面視矩形状の窓孔１６１が形成されている。内蓋１６には、窓孔１６１を塞ぐようにして、複数枚（本実施形態では３枚）の蓋板１６２〜１６４が着脱自在に取り付けられる。３枚の蓋板１６２〜１６４は、上下方向の寸法が窓孔１６１の上下方向における寸法とほぼ同じ寸法に設定されており、左右方向に並ぶようにして内蓋１６に取り付けられている。窓孔１６１が蓋板１６２〜１６４で塞がれた内蓋１６を、キャビネット本体１１の前側に取り付けることによって、キャビネット本体１１の開口部１４が内蓋１６に覆われた状態となる。すなわち、内蓋１６と、この内蓋１６に取り付けられた蓋板１６２〜１６４とで、キャビネット本体１１の前面の開口部１４を覆う蓋が構成される。なお、内蓋１６と蓋板１６２〜１６４の少なくとも１つ以上とは、一体的に形成されていてもよい。
【００２２】
図３において蓋板１６２〜１６４のうち左端に位置する蓋板１６２は、計測アダプタ６の前面６００（図２参照）を覆うようにして内蓋１６に取り付けられる。蓋板１６２には、計測アダプタ６の一部を露出させるための貫通孔１６２１，１６２２が設けられている。本実施形態では、上側の貫通孔１６２１から電源スイッチ６４０が露出し、下側の貫通孔１６２２から表示部６７１及び操作ボタン６８１が露出する。
【００２３】
蓋板１６２において貫通孔１６２１，１６２２が設けられている部分は、平板状となっている。蓋板１６２の平板状の部分は、蓋板１６２が取り付けられた内蓋１６がキャビネット本体１１に取り付けられた状態では、キャビネット本体１１の底壁１１１の後面（取付面１１２）と、平行である。
【００２４】
図１に示すように、蓋板１６２において貫通孔１６２１の周りの部分には、後方に突出する枠状のリブ１６２３が、貫通孔１６２１を三方（右側、下側、上側）から囲うように設けられている。また、蓋板１６２において貫通孔１６２２の周りの部分には、後方に突出する枠状のリブ１６２４が、貫通孔１６２２を四方（右側、左側、下側、上側）から囲うように設けられている。
【００２５】
蓋板１６２〜１６４のうち左端から２番目に位置する蓋板１６３は、主幹ブレーカ２の前面を覆うようにして内蓋１６に取り付けられている。蓋板１６３には矩形状の孔１６３１が設けられており、孔１６３１を通して、主幹ブレーカ２のハンドルが前面側に露出する。
【００２６】
蓋板１６２〜１６４のうち右端に位置する蓋板１６４は、複数の分岐ブレーカ３の前面を覆うようにして内蓋１６に取り付けられている。ここにおいて、複数の分岐ブレーカ３は、キャビネット本体１１の右側の収納スペースに、上下２列に分かれて配置されている。蓋板１６４には、上側に並んだ分岐ブレーカ３のハンドルを露出させる窓孔１６４１と、下側に並んだ分岐ブレーカ３のハンドルを露出させる窓孔１６４２と、が設けられている。窓孔１６４２からは、下側に並んだ分岐ブレーカ３の右側に配置されているスペーサ３０、及び二次連系ブレーカ１００のハンドルも、露出している。
【００２７】
外蓋１５は、例えば合成樹脂製であって、図４に示すように、内蓋１６の前面を開閉自在に覆うようにして、キャビネット本体１１に取り付けられる。外蓋１５は、キャビネット本体１１の上部に設けられたヒンジ機構を介して、キャビネット本体１１に開閉自在に取り付けられている。
【００２８】
外蓋１５の前壁は、外蓋１５がキャビネット本体１１に取り付けられた状態において、下方の部分ほど後方に位置するように湾曲している。外蓋１５の前壁は、内蓋１６の前壁と同じ程度だけ湾曲している。
【００２９】
図２に示すように、主幹ブレーカ２は、キャビネット本体１１の内部において、左右方向の中央よりもやや左側の位置に配置されている。なお、キャビネット本体１１内での主幹ブレーカ２の位置は、例えば中央よりも右側等他の位置であってよい。主幹ブレーカ２は、一次側端子２１と、二次側端子とを備えている。本実施形態の分電盤１では配電方式として単相三線式を想定しているので、主幹ブレーカ２の一次側端子２１には、系統電源（商用電源）の単相三線式の引き込み線が電気的に接続される。また、主幹ブレーカ２の二次側端子には、第１電圧極（Ｌ１相）の導電バー、第２電圧極（Ｌ２相）の導電バー、中性極（Ｎ相）の導電バーが接続されている。各導電バーは、導電部材により左右方向に長い長尺板状に形成されており、キャビネット本体１１の内部において、上下方向の中央であって主幹ブレーカ２の右側の位置に配置されている。
【００３０】
複数の分岐ブレーカ３は、中性極の導電バーの上側と下側とに分かれて、それぞれ複数個ずつ左右方向に並ぶように配置されている。本実施形態では、図２に示すように、中性極の導電バーの上側に、１２個の分岐ブレーカ３が左右方向に並ぶように配置されている。また、中性極の導電バーの下側に、１０個の分岐ブレーカ３が左右方向に並ぶように配置されている。なお、下側の１０個の分岐ブレーカ３の右側には、２個のスペーサ３０が左右方向に並ぶように配置され、これらスペーサ３０の右側には、二次連系ブレーカ１００が配置されている。
【００３１】
各分岐ブレーカ３は、一対の一次側端子と、一対の二次側端子とを備えている。分岐ブレーカ３には１００Ｖ用と２００Ｖ用がある。１００Ｖ用の分岐ブレーカ３が備える一対の一次側端子は、第１電圧極の導電バーおよび第２電圧極の導電バーのうちの一方と、中性極の導電バーとにそれぞれ電気的に接続される。２００Ｖ用の分岐ブレーカ３が備える一対の一次側端子は、第１電圧極の導電バーと、第２電圧極の導電バーとにそれぞれ電気的に接続される。また、分岐ブレーカ３の二次側端子には、対応する電路が電気的に接続される。各分岐ブレーカ３の二次側端子に接続された電路には、例えば照明器具や空調機器、テレビ受像器、給湯設備等の機器、コンセント（アウトレット）又は壁スイッチ等の配線器具が負荷として１つ以上接続される。
【００３２】
スペーサ３０は、電気絶縁性を有する材料、例えば樹脂材料から、前後及び上下の形状が分岐ブレーカ３とほぼ同じであって左右方向の寸法が分岐ブレーカ３と同じである枠状に形成されている。
【００３３】
二次連系ブレーカ１００は、３Ｐ３Ｅ（極数３、素子数３）で、左右方向の寸法が分岐ブレーカ３の複数個分（３個分）の大きさのブレーカである。二次連系ブレーカ１００は、電力系統への逆潮流が許容されていない分散電源に電気的に接続される。この種の分散電源としては、例えば燃料電池、ガス発電装置、蓄電装置等がある。
【００３４】
電流計測装置５は、複数の分岐ブレーカ３の各々に接続された負荷（電路）に流れる電流を計測するように構成されている。電流計測装置５は、例えば、基板と複数のコイルとを備えている。基板は、左右方向に長い板状である。基板には、複数の孔が形成されている。複数の孔には、導電バーから延びて分岐ブレーカ３の一次側端子に接続される端子がそれぞれ挿入される。コイルは例えばロゴスキコイルであり、基板の孔の周りに形成されている。本実施形態の電流計測装置５は、複数の分岐ブレーカ３の各々に流れる電流を計測する。
【００３５】
計測アダプタ６は、キャビネット本体１１の内部において、主幹ブレーカの左側に配置されている。計測アダプタ６は、分電盤１内の主幹ブレーカ２及び分岐ブレーカ３の少なくとも一方を通過する電力を計測する計測機能、及びキャビネット１０の外部に配置された機器と通信する通信機能を有している。
【００３６】
より詳しくは、本実施形態の計測アダプタ６は、主幹ブレーカ２に流れる電流を計測する主幹電流計測装置及び電流計測装置５と、電気的に接続されている。ここに、主幹電流計測装置は、例えばカレントトランス（ＣＴ）からなる電流センサを備えている。そして、計測アダプタ６は、電流計測装置５及び主幹電流計測装置が計測した電流の値のそれぞれを電力値に変換する機能（計測機能）を有している。
【００３７】
また、計測アダプタ６は、ＨＥＭＳに対応する機器（以下、ＨＥＭＳ対応機器という）の制御を行うように構成されたコントローラとの間で通信する機能（通信機能）を有している。コントローラは、キャビネット１０の外部に配置された機器である。ここに、ＨＥＭＳ対応機器は、消費電力の管理対象であれば足り、例えばスマートメータ、太陽光発電装置、蓄電装置、燃料電池、電気自動車、エアコン、照明器具、給湯装置、冷蔵庫、テレビ受像機等を含む。なお、ＨＥＭＳ対応機器は、これらの機器に限定されない。
【００３８】
計測アダプタ６とコントローラとの間の通信方式は、例えば９２０ＭＨｚ帯の特定小電力無線局（免許を要しない無線局）、Ｗｉ−Ｆｉ（登録商標）、Ｂｌｕｅｔｏｏｔｈ（登録商標）等の通信規格に準拠した、電波を媒体とした無線通信であってもよい。また、計測アダプタ６とコントローラとの間の通信方式は、有線ＬＡＮ（Local Area Network）等の通信規格に準拠した有線通信であってもよい。
【００３９】
また、計測アダプタ６とコントローラとの間の通信における通信プロトコルは、例えばＥｔｈｅｒｎｅｔ（登録商標）、ＥＣＨＯＮＥＴ  Ｌｉｔｅ（登録商標）等を用いてもよい。
【００４０】
本実施形態の分電盤１では、計測アダプタ６は、電流計測装置５が計測した複数の電路の各々の電流値を電流計測装置５から受け取る。さらに、計測アダプタ６は、主幹電流計測装置が計測した電流値を主幹電流計測装置から受け取る。計測アダプタ６は、電流計測装置５及び主幹電流計測装置が計測した電流値のそれぞれを電力値（瞬時電力値）に変換する。計測アダプタ６は、収集した瞬時電力のデータを所定時間に亘って積算した電力量のデータを演算する機能を有している。したがって、計測アダプタ６と通信するコントローラは、複数の電路の各々での瞬時電力や電力量に基づいてＨＥＭＳ対応機器を制御することができる。
【００４１】
また、計測アダプタ６は、太陽光発電装置、蓄電装置、電気自動車に電気的に接続される電力変換装置の少なくとも１つとの間で通信する機能（通信機能）を有している。これらの装置も、計測アダプタ６の通信機能による通信対象である外部の機器に相当する。なお、電力変換装置は、分電盤１から電気自動車への単方向充電を行うための電力変換の他、双方向に電力変換を行うことで電気自動車の蓄電池の充電と放電との両方に用いられる構成であってもよい。
【００４２】
また、計測アダプタ６は、ガスメータと水道メータとの少なくとも一方との通信機能を有している。これらのメータも、計測アダプタ６の通信機能による通信対象である外部の機器に相当する。計測アダプタ６と太陽光発電装置、蓄電装置、電力変換装置との間の通信方式は、例えばＲＳ−４８５等の通信規格に準拠した有線通信である。なお、計測アダプタ６は、例えば貯湯型の給湯装置（エコキュート（登録商標））等と通信可能であってもよい。ただし、計測アダプタ６とガスメータ、水道メータとの間の通信方式は、有線通信に限らず、無線通信であってもよい。
【００４３】
以下に、計測アダプタ６の具体構造について、図２、図５を参照しながら説明する。
【００４４】
計測アダプタ６は、図５に示すように、合成樹脂の成型品からなる直方体状のケース６０を備えている。
【００４５】
ケース６０の前面（計測アダプタ６の前面６００）において、上下方向の中央かつ右側の位置には、計測機能に関する情報を表示する表示部６７１が設けられている。すなわち、計測アダプタ６は、前面６００に、計測機能に関する情報を表示する表示部６７１を有している。
【００４６】
表示部６７１は、例えば７セグメントディスプレイであり、計測機能に関する情報を、文字と数字と記号との少なくとも１つを用いて表示する。表示部６７１に表示される情報（計測機能に関する情報）は、計測アダプタ６での計測に用いられる情報である。表示部６７１に表示される情報は、複数の分岐ブレーカ３のうちで計測対象となる分岐ブレーカ３を示す情報であってもよい。表示部６７１に表示される情報は、分岐ブレーカ３に印加される電圧値等を表す情報であってもよい。表示部６７１に表示される情報は、計測対象の分岐ブレーカ３に接続される機器の種類（例えば、太陽光発電設備、蓄電装置、住宅等に設置された設備機器の別）を示す情報であってもよい。また、表示部６７１に表示される情報は、計測アダプタ６で電流を計測可能な分岐ブレーカ３の数（回路数）、電圧相（Ｌ１相、Ｌ２相）等の情報であってもよい。
【００４７】
ケース６０の前面において、左側の位置には、例えば発光ダイオードを光源とした複数個（本実施形態では例えば３個）の発光表示部６７２が設けられている。これらの発光表示部６７２は、点灯することにより、例えば計測アダプタ６の動作を表示する。
【００４８】
ケース６０の前面において、表示部６７１の下方には、計測機能に関する操作を受け付ける複数（本実施形態では例えば８個）の操作ボタン６８１が設けられている。すなわち、計測アダプタ６は、前面６００に、計測機能に関する操作を受け付ける操作部６８（操作ボタン６８１）を有している。操作ボタン６８１は、例えば、設定モードの切替及び設定の確定をするボタン、設定内容を確認するためのボタン、設定内容の変更を行うためのボタン、設定及び確認する項目を選択するためのボタン等を含んでいる。
【００４９】
ケース６０の前面において、操作ボタン６８１の下方には、主幹電流計測装置及び電流計測装置５からの信号線が接続される、複数の通信コネクタ６９１が設けられている。ケース６０の前面において、通信コネクタ６９１の左側には、ＬＡＮケーブルを接続するためのＬＡＮケーブル差込口６９２が設けられている。言い換えれば、ケース６０の前面において下半分のいずれかの位置には、配線が接続される接続部６９（通信コネクタ６９１、ＬＡＮケーブル差込口６９２）が設けられている。すなわち、計測アダプタ６は、前面６００において少なくとも下半分のいずれかの位置に、配線が接続される接続部６９を有している。接続部６９は、計測アダプタ６の前面６００において、上下方向の中央よりも下側の位置に設けられている。接続部６９は、計測アダプタ６の前面６００において、表示部６７１よりも下側の位置に設けられている。
【００５０】
また、ケース６０の前面において、表示部６７１の上側には、計測アダプタ６の電源を入切するための電源スイッチ６４０が設けられている。ケース６０の前面において、電源スイッチ６４０の上側には、電源コネクタ６４１が設けられている。電源コネクタ６４１には、計測アダプタ６に動作電力を供給するためのケーブルに結線されたプラグコネクタが、着脱自在に接続される。
【００５１】
計測アダプタ６は、ケース６０の前面の下端に、太陽光発電設備、ガスメータ、水道メータ等との間の通信を行うための信号線を接続する複数の通信ポート６９３を備えている。なお、通信ポート６９３も、配線が接続される接続部６９の一つである。ケース６０の前面において、通信ポート６９３の上側には、複数個（本実施形態では例えば４個）の発光表示部８１が左右方向に並べて取り付けられている。複数の発光表示部８１は例えば発光ダイオードを光源とし、それぞれ対応する機器との通信状態を表示するために用いられる。
【００５２】
ケース６０の後面において、上下方向の中央よりも下側の位置には、計測アダプタ６の機能を拡張するための拡張アダプタを右側から差込接続可能な、凹所６１０が形成されている。
【００５３】
ケース６０の上下方向の中央（凹所６１０の上側）において、左右の側面（図５では右側のみ図示）には、それぞれ、上下方向における同じ位置に、後側に開放された横溝６３１と、横溝６３１の前側から上側に向かって延びる縦溝６３２と、が設けられている。縦溝６３２の後側には、左右方向における外側に突出するレール状の突起６３３が設けられている。この突起６３３の下端には、下側に近づくにつれて縦溝６３２の幅を広げるような傾斜面６３４が設けられている。
【００５４】
また、ケース６０の左右の側面（図５では右側のみ図示）において、凹所６１０の下側の位置には、それぞれ、上下方向における同じ位置に、後側に開放された横溝６２１と、横溝６２１の前側から上側に向かって延びる縦溝６２２と、が設けられている。縦溝６２２の後側には、左右方向における外側に突出するレール状の突起６２３が設けられている。この突起６２３の下端には、下側に近づくにつれて縦溝６２２の幅を広げるような傾斜面６２４が設けられている。
【００５５】
ケース６０の右側面には、固定ネジ６６１を回転自在な状態で保持するボス６６がケース６０と一体に設けられている。
【００５６】
上記のようなケース６０を備えた計測アダプタ６は、図５に示すようなベース部材２００を用いて、キャビネット本体１１に取り付けられる。
【００５７】
ベース部材２００は、合成樹脂の成型品からなり、キャビネット本体１１の底壁１１１に固定される固定部２０１と、計測アダプタ６が取り付けられる取付部２０４，２０５と、を備えている。
【００５８】
固定部２０１は、ベース部材２００がキャビネット本体１１に取り付けられた状態を前方から見た場合に、上下方向に細長い矩形板状となるように形成されている。固定部２０１にはネジを通すための貫通孔２１０が上下２カ所（図５では、下側のみ図示）に設けられている。この貫通孔２１０に通したネジをキャビネット本体１１の底壁１１１に設けられたネジ孔にねじ込むことによって、固定部２０１（すなわちベース部材２００）がキャビネット本体１１に固定される。ベース部材２００は、固定部２０１がキャビネット本体１１の底壁１１１と平行となるように、キャビネット本体１１に固定される。
【００５９】
固定部２０１の左右の側縁（左右の長辺部分）には、それぞれ前方に突出する壁２０２が設けられている。各々の壁２０２は、下方に向かうにつれて前側の辺が後側の辺に近づくように傾斜している。各々の壁２０２の内面及び外面には、前後方向に延びる三角形状の複数の補強用リブ２０６が、上下方向に等間隔に並んで設けられている。壁２０２の内面に設けられている補強用リブ２０６は、後側ほど（固定部２０１に近づくほど）幅が大きくなる直角三角形状である。壁２０２の外面に設けられている補強用リブ２０６は、前側ほど（固定部２０１から離れるほど）幅が大きくなる直角三角形状である。壁２０２の外面に設けられている補強用リブ２０６は、上下方向において、壁２０２の内面に設けられている隣り合う２つの補強用リブ２０６の間（中央）に位置している。ここにおいて、ベース部材２００は、固定部２０１と左右の壁２０２とで囲まれた空間Ｓ１を内部に有している。この空間Ｓ１には、例えば、ベース部材２００に計測アダプタ６が取り付けられた状態において、計測アダプタ６の接続部６９（通信コネクタ６９１等）に接続された配線を収容することが可能である。すなわち、ベース部材２００は、計測アダプタ６に接続される配線を収容する収容スペース（空間Ｓ１）を備えている。
【００６０】
各々の壁２０２の先端縁（前縁）には、それぞれ左右方向における外向き（対向する壁２０２と反対向き）に突出する鍔部２０３が設けられている。左右の鍔部２０３の各々には、計測アダプタ６を取り付けるための取付部２０４，２０５が設けられている。
【００６１】
取付部２０４は、各鍔部２０３の下側の位置に、１つずつ設けられている。取付部２０５は、各鍔部２０３の上下方向の中央の位置に、１つずつ設けられている。取付部２０４は、鍔部２０３から前方に突出する矩形板状に形成されており、その内側の面に、計測アダプタ６の側面に設けられた突起６２３が上側から挿入される溝２０４１が形成されている。同様に、取付部２０５は、鍔部２０３から前方に突出する矩形板状に形成されており、その内側の面に、計測アダプタ６の側面に設けられた突起６３３が上側から挿入される溝２０５１が形成されている。
【００６２】
また、右側の鍔部２０３には、鍔部２０３の外側縁から外側に張り出すように突出部２０７が設けられている。突出部２０７は、計測アダプタ６のボス６６に対応する位置に設けられており、突出部２０７にはボス６６に保持された固定ネジ６６１がネジ止めされるネジ部２０８が設けられている。
【００６３】
計測アダプタ６は、例えば以下の手順でベース部材２００に取り付けられる。
【００６４】
まず、計測アダプタ６を、ベース部材２００の鍔部２０３に前側から近づけ、取付部２０４，２０５を、対応する横溝６２１，６３１に、それぞれ挿入させる。この状態から、計測アダプタ６を下側へスライド移動させると、取付部２０４，２０５の溝２０４１，２０５１内に、対応する突起６２３，６３３が挿入される。これにより、各鍔部２０３の前面にケース６０の後面が載置され、取付部２０４，２０５が計測アダプタ６を保持した状態となる（保持状態）。
【００６５】
そして、保持状態では、ボス６６に保持された固定ネジ６６１が突出部２０７のネジ部２０８にねじ込み可能な位置にある。この状態で、固定ネジ６６１をネジ部２０８にねじ込めば、計測アダプタ６のスライド移動が規制される。これにより、計測アダプタ６がベース部材２００に取り付けられた状態で保持される。
【００６６】
次に、分電盤１を造営面９０に取り付けた状態での、キャビネット１０と計測アダプタ６との間の位置関係について、図１、図６を参照して説明する。図１は、図２のＸ１−Ｘ１線に対応する位置での、分電盤１の断面図である。図６は、分電盤１を造営面９０（住宅の壁面等）に取り付けた状態を示す図である。
【００６７】
図６に示すように、分電盤１は、キャビネット１０の取付面１１２が鉛直方向に沿うように、造営面９０に取り付けられる（取付状態）。分電盤１は、一般に、脱衣所、階段等の壁面（造営面９０）に、使用者９１の目の高さよりも上側に位置するように取り付けられる。使用者９１は、分電盤１を使用する者であり、例えば住人などである。また、使用者９１は、分電盤１の設置作業、又は分電盤１の修理などを行う作業者を含む。
【００６８】
ここにおいて、計測アダプタ６は、上述のようにベース部材２００を介して、キャビネット本体１１に取り付けられる（図１参照）。そして、ベース部材２００の壁２０２は、下方に向かうにつれて前側の辺が後側の辺に近づくように傾斜している。このため、図１に示すように、計測アダプタ６を保持したベース部材２００をキャビネット１０に取り付けた状態では、計測アダプタ６の前面６００は、キャビネット１０の取付面１１２に対して傾斜することになる。すなわち、ベース部材２００は、取付面１１２が鉛直方向に沿うように造営面９０に取り付けられた取付状態において、計測アダプタ６の前面６００が鉛直上方から鉛直下方に向かうにつれて造営面９０に近づく向きに傾斜するように、計測アダプタ６を保持する。一例において、キャビネット１０の取付面１１２に対する計測アダプタ６の前面６００の傾斜角度θ１（図６参照）は、５°程度である。
【００６９】
上記のように本実施形態の分電盤１では、取付状態において、計測アダプタ６の前面６００が、鉛直上方から鉛直下方に向かうにつれて造営面９０に近づく向きに傾斜している。つまり、計測アダプタ６の前面６００が斜め下方を向いている。したがって、計測アダプタ６の前面６００に設けられている表示部６７１も、斜め下方を向いている（図１参照）。このため、使用者９１が、目の高さよりも上方に位置する分電盤１内の表示部６７１を見る場合（図６参照）、使用者９１の視線の方向と表示部６７１の表示面の法線方向とがなす角度は、計測アダプタ６の前面６００が造営面９０に平行な場合に比べて、小さくなる。言い換えれば、使用者９１は、表示部６７１を、表示部６７１の表示面の法線方向に近い方向から見ることが可能となる。これにより、本実施形態の分電盤１では、使用者９１が表示部６７１の表示内容を確認しやすくなり、計測アダプタ６の使い勝手が向上する。
【００７０】
なお、上述のように、蓋板１６２において、表示部６７１を露出させるための貫通孔１６２２の周りには、リブ１６２４が設けられている。これにより、計測アダプタ６の前面において貫通孔１６２２から露出する部分が、リブ１６２４によって制限される。計測アダプタ６の前面６００が造営面９０に平行な場合、リブ１６２４の存在により表示部６７１が見えにくくなるが、本実施形態の分電盤１では、リブ１６２４が存在していても、表示部６７１が見えやすい。
【００７１】
また、図１及び図３に示すように、本実施形態の分電盤１では、貫通孔１６２２の上半分から、表示部６７１の少なくとも一部が露出している。これにより、表示部６７１が貫通孔１６２２の下半分のみから露出している場合に比べて、表示部６７１がリブ１６２４に邪魔されにくくなり、表示部６７１の見やすさがさらに向上する。
【００７２】
また、本実施形態の分電盤１では、計測アダプタ６の前面６００において操作部６８が設けられている部分も、斜め下方を向いている。このため、使用者９１が操作部６８を見やすくなり、操作部６８を操作しやすくなる。これにより、本実施形態の分電盤１では、計測アダプタ６の使い勝手が向上する。
【００７３】
また、本実施形態の分電盤１では、計測アダプタ６の前面６００の下半分に、接続部６９（通信コネクタ６９１、ＬＡＮケーブル差込口６９２、通信ポート６９３）が設けられている。そして、本実施形態の分電盤１では、計測アダプタ６の前面６００が斜め下方を向いているため、前面６００の下半分とキャビネット１０（蓋板１６２）との間には、前面６００の上半分とキャビネット１０との間と比べて、相対的に広いスペースＳ２（図１参照）が形成される。これにより、本実施形態の分電盤１では、接続部６９に接続される配線の引き回しのスペースを確保しやすくなり、計測アダプタ６の使い勝手が向上する。
【００７４】
さらに、本実施形態の分電盤１では、計測アダプタ６の前面６００が斜め下方を向いており、かつ、計測アダプタ６の前面６００において表示部６７１が接続部６９よりも上側に設けられている。これにより、表示部６７１の見やすさを向上させつつ、接続部６９に接続される配線の引き回しのスペースを確保することが可能となる。
【００７５】
この点について、比較例１の分電盤１Ａ及び比較例２の分電盤１Ｂと、実施形態の分電盤１との比較を交えて、説明する。
【００７６】
図７Ａに示すように、比較例１の分電盤１Ａでは、計測アダプタ６Ａの前面６００Ａがキャビネット１０Ａの取付面１１２Ａと平行となるように、ベース部材２００Ａが計測アダプタ６Ａを保持している。また、比較例１の分電盤１Ａでは、計測アダプタ６Ａの前面６００Ａがキャビネット１０Ａの蓋板１６２Ａに近づくように、ベース部材２００Ａが計測アダプタ６Ａを保持している。これにより、比較例１の分電盤１Ａでは、表示部６７１Ａを貫通孔１６２２Ａに近づけて、表示部６７１Ａの見やすさを確保している。
【００７７】
しかしながら、比較例１の分電盤１Ａでは、接続部も蓋板１６２Ａに近づくため、接続部に接続される配線の引き回しのスペースを確保するのが難しい。
【００７８】
図７Ｂに示すように、比較例２の分電盤１Ｂでは、計測アダプタ６Ｂの前面６００Ｂがキャビネット１０Ｂの取付面１１２Ｂと平行となるように、ベース部材２００Ｂが計測アダプタ６Ｂを保持している。また、比較例２の分電盤１Ｂでは、計測アダプタ６Ｂの前面６００Ｂがキャビネット１０Ｂの蓋板１６２Ｂから離れるように、ベース部材２００Ｂが計測アダプタ６Ｂを保持している。これにより、比較例２の分電盤１Ｂでは、接続部に接続される配線の引き回しのスペースを確保している。
【００７９】
しかしながら、比較例２の分電盤１Ｂでは、表示部６７１Ｂも貫通孔１６２２Ｂから遠ざかってしまい、表示部６７１Ｂの見やすさが低下する可能性がある。
【００８０】
これに対し、本実施形態の分電盤１では、計測アダプタ６の前面６００が斜め下方を向いており、かつ、計測アダプタ６の前面６００において表示部６７１が接続部６９よりも上側に設けられている。これにより、表示部６７１の見やすさを向上させつつ、接続部６９に接続される配線の引き回しのスペースを確保することが可能となる。つまり、本実施形態では、表示部６７１を貫通孔１６２２に近づけつつ、接続部６９を蓋板１６２から遠ざけることが可能である。
【００８１】
要するに、本実施形態の分電盤１では、ベース部材２００は、取付状態において計測アダプタ６の前面６００が鉛直上方から鉛直下方に向かうにつれて造営面９０に近づく向きに傾斜するように、計測アダプタ６を保持する。取付状態は、キャビネット１０の取付面１１２が鉛直方向に沿うように造営面９０に取り付けられた分電盤１の状態である。本実施形態の分電盤１は上記のように構成されているので、取付状態において、計測アダプタ６の前面に設けられている表示部６７１及び操作部６８に対して使用者がアクセスしやすくなり、また、接続部６９に接続される配線の引き回しスペースが確保しやすくなる。したがって、本実施形態の分電盤１では、計測アダプタ６の使い勝手を向上させることが可能となる。
【００８２】
（２）変形例
以下に、変形例について列記する。以下に説明する各変形例は、実施形態及び他の変形例と適宜組み合わせて適用可能である。
【００８３】
計測アダプタ６は、少なくとも、分電盤１内の主幹ブレーカ２及び分岐ブレーカ３の少なくとも一方を通過する電力を計測する計測機能及びキャビネット１０の外部に配置された機器と通信する通信機能を有していればよい。例えば、計測アダプタ６は、操作ボタン６８１（操作部６８）を備えていなくてもよく、外部の機器から受け取った操作情報に基づいて動作が制御されてもよい。
【００８４】
傾斜角度θ１は、５°程度には限られない。傾斜角度θ１は、分電盤１の使用が想定される場所等に応じて適宜変更されてもよい。傾斜角度θ１は、例えば、壁２０２の傾斜角度が異なるベース部材２００を用いることで、変更可能である。
【００８５】
ベース部材２００は、キャビネット１０と別体でなくてもよく、キャビネット１０と一体に形成されていてもよい。
【００８６】
本実施形態において、計測アダプタ６は、分電盤１の構成要件ではない。つまり、分電盤１は、計測アダプタ６が取り付けられるベース部材２００を有していればよく、計測アダプタ６を備えるか否かは任意である。
【００８７】
（３）態様
以上説明した実施形態及び変形例から明らかなように、第１の態様の分電盤（１）は、キャビネット（１０）と、ベース部材（２００）と、を備える。キャビネット（１０）は箱状である。キャビネット（１０）は、造営面（９０）に対する取付面（１１２）を有する。ベース部材（２００）は、キャビネット（１０）に収容される。ベース部材（２００）は、計測アダプタ（６）が取り付けられる。計測アダプタ（６）は、分電盤（１）内の主幹ブレーカ（２）及び分岐ブレーカ（３）の少なくとも一方を通過する電力を計測する計測機能及びキャビネット（１０）の外部に配置された機器と通信する通信機能を有する。ベース部材（２００）は、取付状態において、計測アダプタ（６）の前面（６００）が鉛直上方から鉛直下方に向かうにつれて造営面（９０）に近づく向きに傾斜するように、計測アダプタ（６）を保持する。取付状態は、キャビネット（１０）の取付面（１１２）が鉛直方向に沿うように造営面（９０）に取り付けられた状態である。
【００８８】
第１の態様によれば、取付状態において、計測アダプタ（６）の前面（６００）が斜め下方を向くように計測アダプタ（６）がベース部材（２００）に保持される。このため、使用者（９１）が計測アダプタ（６）の前面（６００）に対してアクセスしやすくなるので、計測アダプタ（６）の使い勝手が向上する。
【００８９】
第２の態様の分電盤（１）では、第１の態様において、計測アダプタ（６）は、前面（６００）に、計測機能に関する情報を表示する表示部（６７１）を有する。
【００９０】
第２の態様によれば、表示部（６７１）が斜め下方を向くように、計測アダプタ（６）がベース部材（２００）に保持される。このため、使用者（９１）が表示部（６７１）を見やすくなるので、計測アダプタ（６）の使い勝手が向上する。
【００９１】
第３の態様の分電盤（１）では、第１又は第２の態様において、計測アダプタ（６）は、前面（６００）に、計測機能に関する操作を受け付ける操作部（６８）を有する。
【００９２】
第３の態様によれば、計測アダプタ（６）の前面（６００）において操作部（６８）（操作ボタン６８１）が設けられている領域が斜め下方を向くように、計測アダプタ（６）がベース部材（２００）に保持される。このため、使用者（９１）が操作部（６８）を操作しやすくなるので、計測アダプタ（６）の使い勝手が向上する。
【００９３】
第４の態様の分電盤（１）では、第１〜第３の何れかの態様において、計測アダプタ（６）は、その前面（６００）に、取付状態において少なくとも下半分のいずれかの位置に、配線が接続される接続部（６９）（通信コネクタ６９１、ＬＡＮケーブル差込口６９２、通信ポート６９３）を有する。
【００９４】
第４の態様によれば、計測アダプタ（６）の前面（６００）の下半分とキャビネット（１０）との間に、接続部（６９）に接続される配線を引き回すためのスペース（Ｓ２）を確保しやすくなる。これにより、計測アダプタ（６）の使い勝手が向上する。
【００９５】
第５の態様の分電盤（１）では、第１〜第４の何れかの態様において、ベース部材（２００）は、計測アダプタ（６）に接続される配線を収容する収容スペース（空間Ｓ１）を備える。
【００９６】
第５の態様によれば、計測アダプタ（６）に接続される配線を、収容スペースに収容することが可能となる。
【００９７】
第６の態様の分電盤（１）は、第１〜第５の何れかの態様において、計測アダプタ（６）を更に備える。
【００９８】
第６の態様によれば、計測アダプタ（６）の使い勝手が向上する。
【符号の説明】
【００９９】
１  分電盤
１０  キャビネット
１１２  取付面
２  主幹ブレーカ
３  分岐ブレーカ
６  計測アダプタ
６００  前面
６７１  表示部
６８  操作部
６９  接続部
２００  ベース部材
９０  造営面
Ｓ１  空間（収容スペース）
【図１】
2019165605.tif 000003
【図２】
2019165605.tif 000004
【図３】
2019165605.tif 000005
【図４】
2019165605.tif 000006
【図５】
2019165605.tif 000007
【図６】
2019165605.tif 000008
【図７】
2019165605.tif 000009